(57)【要約】【課題】大きな出力の電源装置２を設けることが可能となる、電源装置２を器具本体１の外底面に設置した照明装置を提供すること。【解決手段】内部にＬＥＤを収めた器状である器具本体１の外底面に、ＬＥＤに電力を供給する電源装置２をアーム部３を介して器具本体１外周の内側領域に収まるように設け、アーム部３とともに電源装置２が器具本体１外周の外側領域に突出自在となっている。そして、複数の放熱フィン４を器具本体１の外底面に設け、アーム部３を放熱フィン４に結合させている。そして、アーム部３が回動することで、器具本体１外周の外側領域に突出自在となる。【選択図】図１
2008171584.tif 000002
【特許請求の範囲】
【請求項１】
内部にＬＥＤを収めた器状である器具本体の外底面に、ＬＥＤに電力を供給する電源装置をアーム部を介して器具本体外周の内側領域に収まるように設け、アーム部とともに電源装置が器具本体外周の外側領域に突出自在となっていることを特徴とする照明装置。
【請求項２】
複数の放熱フィンを器具本体の外底面に設け、アーム部を放熱フィンに結合させていることを特徴とする請求項１記載の照明装置。
【請求項３】
アーム部が回動することで、器具本体外周の外側領域に突出自在となることを特徴とする請求項１又は２記載の照明装置。
【請求項４】
アーム部がスライドすることで、器具本体外周の外側領域に突出自在となることを特徴とする請求項１又は２記載の照明装置。
【請求項５】
天井面に埋設される照明装置であって、器具本体の開口部が下側を向くように設けられていることを特徴とする請求項１〜４のいずれか１項記載の照明装置。
【請求項６】
天井面に埋設される照明装置であって、器具本体の開口部が下側を向くように設けられ、アーム部を下方に傾斜を付けて設けていることを特徴とする請求項４記載の照明装置。
【発明の詳細な説明】
【技術分野】
【０００１】
本願発明は、内部にＬＥＤを収めた器状である器具本体の外底面に、ＬＥＤに電力を供給する電源装置を設けている照明装置に関するものである。
【背景技術】
【０００２】
従来から、特開２００２−３０４９０４号公報（特許文献１）に示されるようなＬＥＤ照明装置は知られている。このＬＥＤ照明装置は図１４に示すように、器具本体１０１、器具外郭１０２、レンズ体１０３およびＬＥＤ１０４を備えているほか、器具本体１０１にＬＥＤ電源供給部１０５が内蔵されている。そして、このＬＥＤ電源供給部１０５はＬＥＤ１０４が実装された配線基板の裏面側に設けられている。
【０００３】
これにより、天井裏からの交流電源をＬＥＤ照明装置に直接接続し、一般家庭で使用されているシーリング器具としての展開が容易にできた。
【特許文献１】特開２００２−３０４９０４号公報
【発明の開示】
【発明が解決しようとする課題】
【０００４】
しかしながら、ＬＥＤ電源供給部１０５が器具本体１０１に内蔵されていると、ＬＥＤ１０４からの熱の影響を受けやすく、ＬＥＤ電源供給部１０５の部品温度が上昇してしまう恐れがある。また、ＬＥＤ１０４が発する熱はＬＥＤ電源供給部１０５との取付部を介してＬＥＤ電源供給部１０５に伝わり、更にＬＥＤ電源供給部１０５から器具本体１０１に伝わって外部に放熱されるので、ＬＥＤ１０４の放熱性が低下してしまう恐れがある。
【０００５】
よって、特開２００２−３０４９０４号公報に示される上記従来例のＬＥＤ照明装置にあっては、大きな出力のＬＥＤ電源供給部１０５を設けることが困難であるという問題があった。
【０００６】
本願発明は、上記課題を解決するためになされたものであり、その目的は、大きな出力の電源装置を設けることが可能となる、電源装置を器具本体の外底面に設置した照明装置を提供することにある。
【課題を解決するための手段】
【０００７】
上記課題を解決するために、本願請求項１記載の発明では、内部にＬＥＤを収めた器状である器具本体の外底面に、ＬＥＤに電力を供給する電源装置をアーム部を介して器具本体外周の内側領域に収まるように設け、アーム部とともに電源装置が器具本体外周の外側領域に突出自在となっていることを特徴としている。
【０００８】
また、本願請求項２記載の発明では、上記請求項１記載の照明装置において、複数の放熱フィンを器具本体の外底面に設け、アーム部を放熱フィンに結合させていることを特徴としている。
【０００９】
また、本願請求項３記載の発明では、上記請求項１又は２記載の照明装置において、アーム部が回動することで、器具本体外周の外側領域に突出自在となることを特徴としている。
【００１０】
また、本願請求項４記載の発明では、上記請求項１又は２記載の照明装置において、アーム部がスライドすることで、器具本体外周の外側領域に突出自在となることを特徴としている。
【００１１】
また、本願請求項５記載の発明では、上記請求項１〜４のいずれか１項記載の照明装置において、天井面に埋設される照明装置であって、器具本体の開口部が下側を向くように設けられていることを特徴としている。
【００１２】
また、本願請求項６記載の発明では、上記請求項４記載の照明装置において、天井面に埋設される照明装置であって、器具本体の開口部が下側を向くように設けられ、アーム部を下方に傾斜を付けて設けていることを特徴としている。
【発明の効果】
【００１３】
本願請求項１記載の発明の照明装置においては、器具本体の外底面に電源装置をアーム部を介して器具本体外周の内側領域に収まるように設け、アーム部とともに電源装置が器具本体外周の外側領域に突出自在となっているので、アーム部と電源装置が器具本体外周の外側領域に突出している場合は、ＬＥＤと電源装置が離れてＬＥＤの熱が電源装置へ伝わりにくくなり、大きな出力の電源装置を設けることができる。また、アーム部と電源装置が器具本体外周の内側領域に収まっている場合は、コンパクトな構造となり、輸送梱包する際や施工する際に利便性が向上する。
【００１４】
本願請求項２記載の発明の照明装置においては、特に、複数の放熱フィンを器具本体の外底面に設け、アーム部を放熱フィンに結合させているので、アーム部を取り付けるための部品を別途設ける必要がなく、構造を簡易にすることができる。
【００１５】
本願請求項３記載の発明の照明装置においては、特に、アーム部が回動することで、器具本体外周の外側領域に突出自在となるので、簡易な構造でアーム部を器具本体外周の外側領域に突出自在とすることができる。
【００１６】
本願請求項４記載の発明の照明装置においては、特に、アーム部がスライドすることで、器具本体外周の外側領域に突出自在となるので、簡易な構造でアーム部を器具本体外周の外側領域に突出自在とすることができる。
【００１７】
本願請求項５記載の発明の照明装置においては、特に、天井面に埋設される照明装置であって、器具本体の開口部が下側を向くように設けられているので、容易に取り付けることができて施工性が向上する。
【００１８】
本願請求項６記載の発明の照明装置においては、特に、天井面に埋設される照明装置であって、器具本体の開口部が下側を向くように設けられ、アーム部を下方に傾斜を付けて設けているので、アーム部が自重により自動的にスライドして器具本体外周の外側領域に突出することができる。したがって、取り付ける場合には突出したアーム部を器具本体外周の内側領域に収めて、天井の取付け孔に挿入させて設置し、設置後にアーム部を自重によって自動で器具本体外周の外側領域に突出させることができるので、施工性が向上する。また、アーム部に傾斜を付けているので、ＬＥＤの対流熱が防止されて電源装置まで伝わりにくくなり、ＬＥＤの温度上昇を避けられ、ＬＥＤの光出力を高くすることができる。
【発明を実施するための最良の形態】
【００１９】
以下、本願発明を添付図面に示す実施形態に基づいて説明する。
【００２０】
図１〜４は、本願請求項１〜３、５に対応した第一の実施形態である照明装置を示している。本実施形態の照明装置は、内部にＬＥＤを収めた器状である器具本体１の外底面に、ＬＥＤに電力を供給する電源装置２をアーム部３を介して器具本体外周の内側領域に収まるように設け、アーム部３とともに電源装置２が器具本体外周の外側領域に突出自在となっている。そして、複数の放熱フィンを器具本体１の外底面に設け、アーム部３を放熱フィンに結合させている。そして、アーム部３が回動することで、器具本体外周の外側領域に突出自在となっている。本実施形態の照明装置は天井面に埋設され、器具本体１の開口部が下側を向くように設けられている。
【００２１】
以下、この実施形態の照明装置をより具体的詳細に説明する。
【００２２】
この実施形態の照明装置は、天井に設けられた取付け孔に挿入させることで、設置されるダウンライトである。なお、天井以外にも壁面などにおいても設置することは可能である。
【００２３】
器具本体１は、図１〜４に示すように、円盤状の底部と、底部の外周縁から下方に延設された円筒部と、円筒部の下端から外側に延設されて円筒部を取り囲む縁部と、を一体に有する形状に形成されている。底部の外周は外底面側に近づくにつれ小さくなるようなテーパ形状となっている。図示されていないが、電源装置２に電気的に接続される接続部（コネクタ）が内底面中央付近に設けられている。なお、器具本体１は例えばアルミなどからなる。
【００２４】
図示されていないが、この器具本体１の内底面には実装基板が設けられている。この実装基板は、光源であるＬＥＤ、コンデンサ、トランジスタ等の電子部品が実装された器具本体内に収納される円状のＬＥＤユニット（プリント基板）である。そして、器具本体１に設けられた接続部にコネクタ接続される接続部を実装基板の上面中央に備えている。
【００２５】
図示されていないが、ＬＥＤの前方にはレンズを含むレンズ体が配置されている。このレンズ体は、例えば絶縁性の樹脂成形により形成され、ＬＥＤの光を制御するためのレンズが各ＬＥＤに配置されている。
【００２６】
なお、レンズ体及び実装基板は器具本体内に着脱自在に収納されるようになっていてもよい。
【００２７】
図１、２に示すように、器具本体１の外底面には、複数の放熱フィンが一面に設けられている。この放熱フィンはアルミなどから略矩形状に形成され、器具本体１と一体となっており、各放熱フィンが平行になるように設けられている。そして、外側放熱フィン４ａとこの外側放熱フィン４ａに挟まれるように位置している内側放熱フィン４ｂがあり、外側放熱フィン４ａは内側放熱フィン４ｂよりも高い。そして、この外側放熱フィン４ａの上側のコーナー部の一方には、アーム部３が回動自在に取り付けられる回動部５が設けられている。
【００２８】
このアーム部３は略水平な板状であり、アルミ等からなる。そして、アーム部３の先端付近の下面には、ＬＥＤに電力を供給する電源装置２が設けられている。アーム部３は回動部５を軸として左右に回動自在である。図１、２に示すように、アーム部３を器具本体外周の外側に回動させた場合は、アーム部３とともに電源装置２が器具本体外周の外側領域に突出することとなる。図３、４に示すように、アーム部３を器具本体外周の内側に回動させた場合は、アーム部３とともに電源装置２が器具本体外周の内側領域に収まることとなる。
【００２９】
この実施形態の照明装置は、輸送梱包する際や施工する際は、アーム部３とともに電源装置２が器具本体外周の内側領域に収まっている状態となり、天井面等に取付けた後は、アーム部３とともに電源装置２が器具本体外周の外側領域に突出している状態となる。取付けた後にアーム部３とともに電源装置２を器具本体外周の外側領域に突出させる手段としては、例えば、取付け時にアーム部３が器具本体１の底面に対して垂直になるように上げておき、その後、電源装置２の重さにより外側領域に自動的に突出させる方法がある。また、アーム部３を形状記憶合金やバイメタルによって形成し、点灯時の温度上昇を利用して変形させ、自動的に外側領域に突出させる方法もある。また、モーターを利用して変形させる方法もある。
【００３０】
したがって、電源装置２をアーム部３を介して器具本体外周の内側領域に収まるように設け、アーム部３とともに電源装置２が器具本体外周の外側領域に突出自在となっているので、アーム部３と電源装置２が器具本体外周の外側領域に突出している場合は、ＬＥＤと電源装置２が離れてＬＥＤの熱が電源装置２へ伝わりにくくなり、大きな出力の電源装置２を設けることができる。また、アーム部３と電源装置２が器具本体外周の内側領域に収まっている場合は、コンパクトな構造となり、輸送梱包する際や施工する際に利便性が向上する。
【００３１】
また、複数の放熱フィンを器具本体１の外底面に設け、アーム部３を放熱フィンに結合させているので、アーム部３を取り付けるための部品を別途設ける必要がなく、構造を簡易にすることができる。
【００３２】
また、アーム部３が回動することで、器具本体外周の外側領域に突出自在となるので、簡易な構造でアーム部３を器具本体外周の外側領域に突出自在とすることができる。
【００３３】
また、天井面に埋設される照明装置であって、器具本体１の開口部が下側を向くように設けられているので、容易に取り付けることができて施工性が向上する。
【００３４】
なお、放熱フィンの配列は上述した形式に限らず、他の配列であっても同様の作用及び効果を奏する。
【００３５】
図５〜９は、本願請求項１、２、４、５に対応した第二の実施形態である照明装置を示している。
【００３６】
なお、ここでは、上記第一の実施形態と相違する事項についてのみ説明し、その他の事項（構成、作用効果等）については、上記第一の実施形態と同様であるのでその説明を省略する。
【００３７】
本実施形態の照明装置は、アーム部３がスライドすることで、器具本体外周の外側領域に突出自在となる。具体的には、図５、６、９に示すように、外側放熱フィン４ａにそれぞれスライドガイド６が設けられ、このスライドガイド６の溝に沿ってアーム部３がスライドする。
【００３８】
図５、６に示すように、アーム部３を器具本体外周の外側にスライドさせた場合は、アーム部３とともに電源装置２が器具本体外周の外側領域に突出することとなる。図７〜９に示すように、アーム部３を器具本体外周の内側にスライドさせた場合は、アーム部３とともに電源装置２が器具本体外周の内側領域に収まることとなる。よって、内側放熱フィン４ｂは、図９に示すように、電源装置２が器具本体外周の内側領域に収まっている場合に、電源装置２と接することのない高さとなる。
【００３９】
上記第一の実施形態同様に、天井面などに取付けた後にアーム部３とともに電源装置２を器具本体外周の外側領域に突出させる場合は、バネなどでアーム部３が器具本体外周の外側領域に位置するように引っ張っておき、ラッチ構造でアーム部３を器具本体外周の内側領域に固定しておく方法がある。アーム部３の固定を解除する手段としては、器具本体１にレバー機構を設けたり、点灯時の温度上昇を利用して形状記憶合金などを利用することや、モーターなどを利用して能動的にラッチを解除する方法などが考えられる。
【００４０】
したがって、アーム部３がスライドすることで、器具本体外周の外側領域に突出自在となるので、簡易な構造でアーム部３を器具本体外周の外側領域に突出自在とすることができる。
【００４１】
図１０〜１３は、本願請求項１、２、４、６に対応した第三の実施形態である照明装置を示している。
【００４２】
なお、ここでは、上記第二の実施形態と相違する事項についてのみ説明し、その他の事項（構成、作用効果等）については、上記第二の実施形態と同様であるのでその説明を省略する。
【００４３】
本実施形態の照明装置は、アーム部３を下方に傾斜を付けて設けている。具体的には、図１０〜１３に示すように、外側放熱フィン４ａの上側に傾斜を付けて、その傾斜に沿ってスライドガイド６を設けている。アーム部３はスライドガイド６に沿ってスライドするので、これによりアーム部３は下方に傾斜を付けて設けられることとなる。
【００４４】
図１０、１１に示すように、アーム部３を器具本体外周の外側にスライドさせた場合は、アーム部３とともに電源装置２が器具本体外周の外側領域に突出することとなる。図１２、１３に示すように、アーム部３を器具本体外周の内側にスライドさせた場合は、アーム部３とともに電源装置２が器具本体外周の内側領域に収まることとなる。
【００４５】
したがって、アーム部３を下方に傾斜を付けて設けているので、天井面などに取付けた後にアーム部３が自重により自動的にスライドして器具本体外周の外側領域に突出することができる。したがって、取り付ける場合には突出したアーム部３を器具本体外周の内側領域に収めて、天井の取付け孔に挿入させて設置し、設置後にアーム部３を自重によって自動で器具本体外周の外側領域に突出させることができるので、施工性が向上する。また、アーム部３に傾斜を付けているので、ＬＥＤの対流熱が防止されて電源装置２まで伝わりにくくなり、ＬＥＤの温度上昇を避けられ、ＬＥＤの光出力を高くすることができる。
【図面の簡単な説明】
【００４６】
【図１】本願発明の第一の実施形態である照明装置の、アーム部が器具本体外側に突出している状態を示す斜視図。
【図２】同照明装置のアーム部が器具本体外側に突出している状態を示す側面図。
【図３】同照明装置のアーム部が器具本体内側に収まっている状態を示す斜視図。
【図４】同照明装置のアーム部が器具本体内側に収まっている状態を示す側面図。
【図５】本願発明の第二の実施形態である照明装置の、アーム部が器具本体外側に突出している状態を示す斜視図。
【図６】同照明装置のアーム部が器具本体外側に突出している状態を示す側面図。
【図７】同照明装置のアーム部が器具本体内側に収まっている状態を示す斜視図。
【図８】同照明装置のアーム部が器具本体内側に収まっている状態を示す側面図。
【図９】同照明装置のアーム部が器具本体内側に収まっている状態を示す背面図。
【図１０】本願発明の第三の実施形態である照明装置の、アーム部が器具本体外側に突出している状態を示す斜視図。
【図１１】同照明装置のアーム部が器具本体外側に突出している状態を示す側面図。
【図１２】同照明装置のアーム部が器具本体内側に収まっている状態を示す斜視図。
【図１３】同照明装置のアーム部が器具本体内側に収まっている状態を示す側面図。
【図１４】従来例である照明装置を示す断面図。
【符号の説明】
【００４７】
１  器具本体
２  電源装置
３  アーム部
４ａ  外側放熱フィン
４ｂ  内側放熱フィン
５  回動部
６  スライドガイド
【図１】
2008171584.tif 000003
【図２】
2008171584.tif 000004
【図３】
2008171584.tif 000005
【図４】
2008171584.tif 000006
【図５】
2008171584.tif 000007
【図６】
2008171584.tif 000008
【図７】
2008171584.tif 000009
【図８】
2008171584.tif 000010
【図９】
2008171584.tif 000011
【図１０】
2008171584.tif 000012
【図１１】
2008171584.tif 000013
【図１２】
2008171584.tif 000014
【図１３】
2008171584.tif 000015
【図１４】
2008171584.tif 000016